(57)【要約】【課題】釣竿のグリップに装着されるアシスト部材の改良。握りやすいグリップの提供。使い心地の良い釣竿の提供。【解決手段】この釣竿１０は、釣竿本体１１とグリップ１２とを備える。グリップ１２は、アシスト部材２４を備える。アシスト部材２４は、保持フレーム２７と弾性体２８とを備える。弾性体２８は釣人の手が当接する部分に配置され、その硬さは、ショアＤ硬さ６０に設定されている。保持フレーム２７は、脚部３０を備える。グリップ１２は、小孔２６を備える。脚部３０と小孔２６とが嵌合されることにより、アシスト部材２４が位置決めされる。【選択図】　図１
2004129610.tif 000002
【特許請求の範囲】
【請求項１】
釣人が把持するグリップが形成された釣竿本体と、
グリップに着脱可能に設けられ、グリップの外形を釣人が把持しやすい所定形状に調整するアシスト部材とを備え、
アシスト部材は、
上記グリップに装着される保持フレームと、
保持フレームに固定され、釣人の手が当接される弾性体とを有する釣竿。
【請求項２】
上記弾性体は、ショアＤ硬さ９０以下の弾性体で形成されている請求項１記載の釣竿。
【請求項３】
上記保持フレームは、
位置決め手段を介して上記グリップに位置決め固定される請求項１又は２記載の釣竿。
【請求項４】
上記位置決め手段は、
上記保持フレームに突設された係合凸部と、
上記グリップに設けられ、上記係合凸部と嵌合する係合凹部とを備える請求項３記載の釣竿。
【発明の詳細な説明】
【０００１】
【発明の属する技術の分野】
この発明は、釣竿の構造に関するものである。
【０００２】
【従来の技術及び発明が解決しようとする課題】
釣竿は、釣人が把持し、操作するものであるから、釣竿のグリップ部分の形状は、釣人の手になじむように形成されるのが理想である。しかしならがら、釣人の手の大きさはさまざまであり、グリップ部分の形状をすべての釣人の手になじむように形成することは不可能である。そのため、従来の釣竿では、グリップ部分にアシスト部材が装着されるようになっている。
【０００３】
図６は、従来の釣竿１の要部拡大斜視図であり、リールシート２部分の構造が詳細に図示されている。なお、リールシート２は、釣用リールを保持するためのものであるが、通常、釣竿１では、リールシート２がグリップ部分を兼ねている。
この釣竿１では、リールシート２に溝３が形成されており、この溝３にアシスト部材４が嵌め込まれるようになっている（例えば、特許文献１参照）。アシスト部材４は、例えば両面テープ等によってリールシート２に固定されるようになっている。
【０００４】
図７は、アシスト部材４の斜視図である。同図が示すように、アシスト部材４は、全体として細長の棒状に形成されており、上部５が隆起した形状である。このアシスト部材４がリールシート２に装着されることによって、釣人がリールシート２を把持したときに、手のひらがアシスト部材４の上部５に当接する。釣人がアシスト部材４の位置を適当に設定することによって、グリップ部分の外形形状が釣人にとって握りやすいものとなる。
【０００５】
ところで、一般にアシスト部材は、釣人の手に当接するものであるから、適当に柔らかい材料で構成されるのが好ましい。
しかし、アシスト部材がそのような柔らかい材料で構成されると、両面テープで貼り付けた場合に非常に剥がれやすくなる。
この問題を解決するために、アシスト部材の材料として適度に硬いものを採用することが考えられるが、アシスト部材が確実にグリップ部分に固定されるためには、アシスト部材の材料は非常に硬いものを採用する必要があり、これでは、アシスト部材が釣人の手になじまず、釣人にとって握り心地の良いグリップ部分を構成することは困難であった。
【０００６】
そこで、本発明の目的は、アシスト部材が確実にグリップに取り付けられ、釣人が釣竿を確実に把持することができる使い心地の良い釣竿を提供することである。
【０００７】
【特許文献１】
特開平１１−４６６３４号公報
【０００８】
【課題を解決するための手段】
（１）　上記目的を達成するため、本願に係る釣竿は、釣人が把持するグリップが形成された釣竿本体と、グリップに着脱可能に設けられ、グリップの外形を釣人が把持しやすい所定形状に調整するアシスト部材とを備え、アシスト部材は、上記グリップに装着される保持フレームと、保持フレームに固定され、釣人の手が当接される弾性体とを有することを特徴とするものである。
【０００９】
この構成によれば、アシスト部材がグリップに設けられることにより、グリップの外形形状が所定形状に調整され、釣人は、グリップを握り易くなる。
アシスト部材は保持フレームに固定されるから、アシスト部材の材質は特に限定されるものではなく、所望の材質（例えば、比較的硬度の高き材質から硬度の低い材質まで）が採用され得る。また、保持フレームがグリップに装着されるから、アシスト部材をグリップに装着する作業が非常に簡単であると共に、保持フレームは、例えば所望の樹脂、金属等により構成され得るから、両面テープ等によってグリップに確実に固着される。
【００１０】
上記弾性体は、ショアＤ硬さ９０以下の弾性体で形成されるのが好ましい。
弾性体がかかる硬度を備えることによって、釣人がグリップを握ったときに弾性体が釣人の手になじみ、握り心地がよい。特に、ショアＤ硬さが６０以下であれば、釣人がグリップを握ったときにきわめて握り心地が良くなる。
弾性体の種類は特に限定されるものではなく、保持フレームに固着しやすいもの（例えば、アクリロニトリルブタジエンスチレン共重合体：ＡＢＳ樹脂）等が採用され得る。
【００１１】
（２）　上記保持フレームは、位置決め手段を介して上記グリップに位置決め固定されるのが望ましい。また、その位置決め手段は、上記保持フレームに突設された係合凸部と、上記グリップに設けられ、上記係合凸部と嵌合する係合凹部とを備えて構成されるのが好適である。
この構成では、位置決め手段により、保持フレームがグリップに位置決めされるから、アシスト部材の位置ずれが防止される。特に、保持フレームに設けられた係合凸部がグリップに設けられた係合凹部に嵌合する構造が採用されることにより、簡単で確実な位置決めが実現される。
【００１２】
【発明の実施の形態】
以下、適宜図面が参照されつつ、好ましい実施形態に基づいて本発明が詳細に説明される。
【００１３】
図１は、本発明の一実施形態に係る釣竿１０の正面図である。
この釣竿１０は、いわゆるインナーガイドタイプの振出式釣竿である。釣竿１０は、釣竿本体１１及びグリップ１２とを備えている。グリップ１２は、釣人が釣竿１０を把持する部分である。
本実施形態の特徴とするところは、グリップ１２が後述されるアシスト部材２４を備えている点であり、これにより、グリップ１２は、釣人にとって握り易くなり、釣人は、釣竿１０を確実に把持することができるようになっている。
以下、釣竿１０の構成について詳述される。
【００１４】
釣竿本体１１は、５つの筒状部材１３〜１７から構成されている。各筒状部材１３〜１７は、それぞれ「節」と称され、釣竿本体１１の先端側（図中右側）から順に第１番節１１、第２番節１２と称される。第４番節１６は、特に「元上節」と称され、第５番節１７は、特に「元節」と称される。
各節１３〜１７は、既知の要領で構成される。例えば、カーボンプリプレグが所定形状に裁断され、これが筒状に巻回されることによって、円筒状の節１３〜１７が形成される。
また、この釣竿１０では、第４節１６（すなわち元上節１４）が第５節１５（すなわち元節１５）に対して伸縮するズーム機構を搭載している。もっともこのズーム機構は任意的なものであって、当該機構は省略される場合もある。
【００１５】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３を第２番節１４から引き出した際に、第１番節１３の後端部分が第２番節１４の先端部分とかみ合って両者が固定されるようになっている。
【００１６】
第２番節１４と第３番節１５との関係及び第３番節１５と元上節１６との関係も同様である。また、第２番節１４ないし元節１７の先端部には、当該部分の剛性を向上させ、隣り合う節のかみ合いを確実なものとするために、リングＲ１〜Ｒ４が装着されている。
元上節１６の先端部分には図示しない釣糸導入孔が設けられており、この釣糸導入孔に釣糸を導くための導入ガイド１９が取り付けれている。なお、上記トップガイド１８及び導入ガイド１９は、既知の構成であるので、その詳しい説明は省略される。
【００１７】
元節１５には、リールシート２０が一体的に形成されている。このリールシート２０は、釣用リール（図示せず）を着脱自在に保持するためのものであると共に、実釣において釣人が実際に釣竿１０を把持する部分である。つまり、このリールシート２０は、釣竿１０の上記グリップ１２を構成している。
リールシート２０は、釣用リールの脚部の一方を収容保持するフード２１と、脚部の他方を収容保持する可動フード２２とを備えている。可動フード２２は、釣用リールが載置される載置面２３に沿って図中左右にスライド可能となっている。そして、可動フード２２が図中左右にスライドすることにより、可動フード２２とフード２１との間でリール脚部が挟持され、釣用リールが載置面２３上で固定されるようになっている。
【００１８】
図２は、釣竿１０の要部拡大分解斜視図であり、グリップ１２部分が詳細に示されている。
グリップ１２は、同図が示すように、元節１７と一体的に形成されている。グリップ１２には、長手方向に沿って溝２５が形成されている。同図では、単一の溝２５のみが図示されているが、実際には、元節１７の長手方向を中心にしてグリップ１２の両側に左右対称に一対の溝２５が設けられている。
この溝２５の底部に、複数の小孔２６（係合凹部）が設けられている。この小孔２５に、上記アシスト部材２４の所定部が嵌合されるようになっている。
【００１９】
アシスト部材２４は、保持フレーム２７と、弾性体２８とを備えている。
図３は、アシスト部材２４の側面図であり、図４は、アシスト部材２４の平面図である。
保持フレーム２７は、本実施形態では、アクリロニトリルブタジエンスチレン共重合体（ＡＢＳ樹脂）により構成されている。保持フレーム２７は、基部２９と脚部３０（係合凸部）とを備えている。
なお、保持フレーム２７を構成する材料としては、ＡＢＳ樹脂に限定されるものではなく、ポリブチレンテレフタレート（ＰＢＴ）等の種々の合成樹脂のほか、アルミニウム合金等の種々の金属が採用され得る。
これらの図が示すように、基部２９は、細長平板状に形成されており、その両端部にフード部３１が設けられている。また、脚部３０は、円柱状に形成されており、基部２９の下面の両端部に一対設けられている。
【００２０】
弾性体２８は、本実施形態では、ニトリルゴム（ＮＢＲ）により構成されている。もっとも、弾性体２８としてニトリルゴムに限定されるものではなく、他のゴムが採用されてもよいことは勿論である。
この弾性体２８の硬度は、ショアＤ硬さ６０である。弾性体２８を構成する材料は、ＮＢＲに限定されるものではなく、一般にゴムが採用される。また、弾性体２８の硬度は、特に限定されるものではないが、ショアＤ硬さ９０以下であれば好ましい。ただし、この弾性体２８は、後述されるように、釣人の手に当接するものであるから、その硬度が、ショアＤ硬さ５０以上７０以下であるのが望ましい。
弾性体２８は、半紡錘形状に形成されている。すなわち、弾性体２８は、平面に形成された下面部を有し、両端部から中央部へ隆起した形状となっている。また、弾性体２８の上面には、小孔３２が複数設けられている。この小孔３２は、滑止効果を奏する。
【００２１】
弾性体２８は、基部２９の上面に載置されている。弾性体２８の両端部は、基部２９のフード部３１に被われるようになっている。弾性体２８の下面部は、両面テープやその他の接着剤等により基部２９の上面に固着されている。これにより、弾性体２８は、保持フレーム２７に確実に固定される。
なお、本実施形態では、基部２９に上記フード部３１が設けられており、これにより、弾性体２８はがより確実に保持フレーム２７に固定されるが、このフード部３１は、省略されてもよい。
【００２２】
アシスト部材２４は、図２が示すようにグリップ１２に装着されるものである。この場合、例えば、両面テープ等により、アシスト部材２４の下面（すなわち、基部２９の下面）とグリップ１２の上記溝２５の底面とが接着される。これにより、アシスト部材２４は、グリップ１２の所要の位置に取り付けられる。
また、アシスト部材２４がグリップ１２に装着されるときには、上記基部２９に設けられた脚部３０が上記溝２５に設けられた小孔２６に嵌め込まれる。これにより、アシスト部材２４は、グリップ１２の所要の位置に確実に位置決めされる。
なお、アシスト部材２４が両面テープ等で取り付けられる場合は、アシスト部材２４は、グリップ１２から比較的容易に取り外される。これにより、アシスト部材２４は、再びグリップ１２の他の位置へ取り付けられる。つまり、アシスト部材２４の取付位置が自在に調整され得る。
【００２３】
本実施形態に係る釣竿１０では、アシスト部材２４がグリップ１２に取り付けられると、アシスト部材２４の弾性体２８が前述のように半紡錘形状を呈しているから、グリップ１２の外形形状が拡径される。これにより、釣人は、グリップ１２を握った際に、しっかりと握ることができる。
一方、アシスト部材２４は、弾性体２８を保持する保持フレーム２７を備えているから、保持フレーム２７をグリップ１２に取り付ける作業は簡単であると共に、保持フレーム２７がＡＢＳ樹脂等により構成されるから、確実にグリップ１２に固定される。つまり、アシスト部材２４は、グリップ１２に対して確実に固定される。
したがって、本実施形態に係る釣竿１０では、釣人がグリップ１２を把持した際に、アシスト部材２４が外れたり、位置がずれたりすることがない。その結果、釣竿１０のグリップ１２は、常に釣人にとって握りやすく、使い心地のよいものとなる。
【００２４】
また、釣人がグリップ１２を握ったときには、釣人の手は、アシスト部材２４の弾性体２８に当接するが、本実施形態では、弾性体２８は、ショア硬さ６０に設定されているから、釣人がグリップ１２を握ったときに、アシスト部材２４が釣人の手になじみ、きわめて握り心地が良くなる。
もっとも、弾性体２８は、所望の硬度のものが採用され得る。そして、この弾性体２８は予め保持フレーム２９に取り付けられ、保持フレーム２９と共にグリップ１２に固定されるから、釣竿の種類に応じて、あるいは設計者による釣竿の握り心地の設計に対応して、種々の弾性体が選択され得る。
加えて、アシスト部材２４のグリップ１２への取付作業は、硬い材料から構成される保持フレーム２９がグリップ１２へ取り付けられるものであるから、当該作業が簡単であるという利点がある。
【００２５】
さらに、本実施形態では、アシスト部材２４側の上記脚部３０とグリップ１２側の上記小孔２６とが嵌合され、アシスト部材２４が位置決めされる。つまり、これら脚部３０及び小孔２６により、アシスト部材２４の位置決め手段が構成されており、これにより、実釣時において、アシスト部材２４の位置ずれが確実に防止される。
【００２６】
加えて、この小孔２６が複数設けられているから、アシスト部材２４の位置調整が容易である。
図５は、アシスト部材２４がグリップ１２に装着された状態での、釣人の手とグリップ１２との位置関係を図示したものである。
同図が示すように、小孔２６が複数設けられているので、釣人は、所望の小孔２６を選択し、アシスト部材２４を当該小孔２６によって規定される位置に配置することができる。これにより、釣人は、手をグリップ１２に対して確実にフィットさせることができる。
また、アシスト部材２４を位置決めする手段としては、上記脚部３０及び小孔２６に限定されるものではないが、かかる構成が採用されることによって、簡単で確実な位置決めが実現されるという利点がある。
【００２７】
なお、本実施形態では、インナーガイドタイプの釣竿１０について開示されているが、本発明は、アウターガイドタイプの釣竿や、いわゆるのべ竿等にも適用されるものであることは勿論である。
【００２８】
【発明の効果】
以上のように本発明によれば、アシスト部材が確実にグリップに固定されるから、釣竿のグリップは、常に釣人にとって握りやすく、使い心地のよいものとなる。
【図面の簡単な説明】
【図１】図１は、本発明の一実施形態に係る釣竿の正面図である。
【図２】図２は、本発明の一実施形態に係る釣竿の要部拡大分解斜視図である。
【図３】図３は、本発明の一実施形態に係るアシスト部材の側面図である。
【図４】図４は、本発明の一実施形態に係るアシスト部材の平面図である。
【図５】図５は、本発明の一実施形態に係るアシスト部材がグリップに装着された状態での、釣人の手とグリップとの位置関係を図示するものである。
【図６】図６は、従来の釣竿の要部拡大斜視図である。
【図７】図７は、従来の釣竿に装着されるアシスト部材の斜視図である。
【符号の説明】
１０・・・釣竿
１１・・・釣竿本体
１２・・・グリップ
１７・・・第５節
２４・・・アシスト部材
２５・・・溝
２６・・・小孔
２７・・・保持フレーム
２８・・・弾性体
２９・・・基部
３０・・・脚部
【図１】
2004129610.tif 000003
【図２】
2004129610.tif 000004
【図３】
2004129610.tif 000005
【図４】
2004129610.tif 000006
【図５】
2004129610.tif 000007
【図６】
2004129610.tif 000008
【図７】
2004129610.tif 000009